【手続補正書】
【提出日】平成18年7月10日(2006.7.10)
【手続補正１】
【補正対象書類名】特許請求の範囲
【補正対象項目名】全文
【補正方法】変更
【補正の内容】
【特許請求の範囲】
【請求項１】
ガラス製の基板と、前記基板の表面に形成された導電薄膜と、導電薄膜上に設けられた対の電極部と、を備え、
前記ガラス基板は、強化ガラス製であり、前記ガラス基板のいずれの位置に割れが生じても、基板全体に割れが波及し、対の電極部間の前記導電薄膜に破断が生じることを特徴とする割れ検出可能な板ガラス。
【請求項２】
前記導電薄膜は、膜厚が０．０５μｍ〜５μｍであることを特徴とする請求項１記載の板ガラス。
【請求項３】
前記導電薄膜を前記電極部とともに覆うように貼り付けられたフィルム材をさらに備えていることを特徴とする請求項１記載の板ガラス。
【請求項４】
強化ガラス製の基板と、前記基板の表面に形成された導電薄膜と、導電薄膜上に設けられた対の電極部と、を備え、
前記対の電極部は、前記ガラス基板の辺縁部上に設けられていることを特徴とする板ガラス。
【請求項５】
強化ガラス製の基板と、前記基板の表面に形成された導電薄膜と、導電薄膜上に設けられた対の電極部と、を備え、
前記対の電極部は、所定間隔をもって近接配置されていることを特徴とする板ガラス。
【請求項６】
前記対の電極部は、前記ガラス基板の同一辺側に設けられていることを特徴とする請求項４又は５のいずれかに記載の板ガラス。
【請求項７】
前記対の電極部は、前記ガラス基板の隣接する２辺側に振り分け配置されていることを特徴とする請求項４又は５のいずれかに記載の板ガラス。
【請求項８】
前記対の電極部は、隣接する２辺の交わるコーナー部近傍に設けられていることを特徴とする請求項４又は５のいずれかに記載の板ガラス。
【請求項９】
前記対の電極部の間隔は、当該対の電極部が設けられている辺の長さの半分以下であることを特徴とする請求項６記載の板ガラス。
【請求項１０】
導電薄膜を有する強化ガラス化された基板からなる第１板ガラスと、所定間隔をもって前記第１板ガラスに対向して配置された第２板ガラスと、前記導電薄膜上であって前記基板の辺縁部上に設けられた対の電極部と、を備えており、
前記第１板ガラスと第２板ガラスとの間に中間膜が挟まれて合わせガラスとして構成されるとともに、第１板ガラスの前記中間膜側表面に前記導電薄膜を配置したことを特徴とする板ガラス。
【請求項１１】
導電薄膜を有する強化ガラス化された基板からなる第１板ガラスと、所定間隔をもって前記第１板ガラスに対向して配置された第２板ガラスと、前記導電薄膜上に所定間隔をもって近接配置された対の電極部と、を備えており、
前記第１板ガラスと前記第２板ガラスとの間に中間膜が挟まれて合わせガラスとして構成されるとともに、前記第１板ガラスの前記中間膜側表面に前記導電薄膜を配置したことを特徴とする板ガラス。
【請求項１２】
強化ガラス製の基板と、前記基板の表面に形成された導電薄膜と、導電薄膜上に設けられた対の電極部と、前記基板上に設けられ基板割れにより生ずる破片を所定の拘束力により拘束する拘束膜と、を備えるとともに、
前記基板の前記対の電極部近傍は、前記拘束膜が存在しないか又は前記所定の拘束力未満の拘束力で拘束された拘束力変化部とされていることを特徴とする板ガラス。
【請求項１３】
強化ガラス化された基板からなる第１板ガラスと、
所定間隔をもって前記第１板ガラスに対向して配置された第２板ガラスと、
前記第１板ガラスと前記第２板ガラスとで挟まれた中間層と、
前記第１板ガラスの前記中間層側の面に形成された導電薄膜と、
前記導電薄膜上に所定間隔をもって近接配置された対の電極部と、を備えており、
前記第２板ガラスを生板ガラスとするとともに、
前記第１板ガラス上の一部を前記中間膜が局所的に存在しない非合わせ部とし、単一の前記非合わせ部内に前記対の電極部を設けたことを特徴とする板ガラス。
【請求項１４】
対の電極部を有する前記非合わせ部が前記基板の隣接する２辺に面して設けられていることを特徴とする請求項１３記載の板ガラス。
【請求項１５】
前記対の電極部は、前記ガラス基板の隣接する２辺の交わるコーナー部近傍に設けられていることを特徴とする請求項１０〜１４のいずれかに記載の板ガラス。
【請求項１６】
前記対の電極部は、前記ガラス基板の隣接する２辺側に振り分け配置されていることを特徴とする請求項１０〜１４のいずれかに記載の板ガラス。
【請求項１７】
請求項１〜１６のいずれかに記載の板ガラスを用いたガラス割れ検出方法であって、
前記電極部から離れた位置に加わった衝撃によって板ガラスが割れた際に、強化ガラスからなる基板全体が細片化することで、衝撃が加わった位置から対の電極部間へ割れが波及して、対の電極部間の導電薄膜に破断が生じて、当該電極部間の抵抗値が増大し、
前記破断前後における前記対の電極部間の抵抗値の変化を抵抗検出器によって検出することでガラス割れを検出することを特徴とするガラス割れ検出方法。
【請求項１８】
割れ検出可能な板ガラスの製造方法であって、
少なくとも一面に導電薄膜が形成された生板ガラスの辺縁部の前記導電薄膜上に、所定間隔をもって近接した２カ所に導電性ペーストを塗布して電極部を形成し、
その後、前記生板ガラスを熱処理することにより、前記生板ガラスを熱処理強化ガラスとするとともに前記電極部を前記導電薄膜に融着する、
ことを特徴とする割れ検出可能な板ガラスの製造方法。
【請求項１９】
割れ検出可能な板ガラスを製造する方法であって、
導電薄膜が形成された強化ガラスからなる第１基板の辺縁部において所定間隔をもって、前記導電薄膜上に導電体製薄板からなる対の電極部を近接配置し、前記第１基板と合わせガラス用中間膜とによって前記電極部を挟むステップと、
前記第１基板と及びガラスからなる第２基板によって合わせガラス用中間膜を挟んだ状態で合わせガラスとするための圧着を行うステップと、
を含むことを特徴とする割れ検出可能な板ガラスの製造方法。
【請求項２０】
強化ガラス製の基板と、前記基板に形成された導電薄膜と、前記導電薄膜上に設けられた対の電極部と、を備えたガラスと、
前記対の電極部間の抵抗値を検出する抵抗検出器と、
を備えていることを特徴とするガラスの割れ検出システム。
【請求項２１】
前記抵抗検出器により検出された抵抗値から得られたガラス割れに関する情報をシステム外部に送信する送信部を備えていることを特徴とする請求項２０に記載のガラスの割れ検出システム。
【請求項２２】
前記ガラスは複数備わり、
複数のガラスにおける対の電極部が直列接続されて抵抗検出器に接続されていることを特徴とする請求項２０記載のガラスの割れ検出システム。
【請求項２３】
強化ガラス化され割れが全体に波及する基板と、前記基板の表面に形成され当該基板と一体的に割れる導電薄膜と、前記導電薄膜上に所定間隔をもって近接配置された対の電極部と、を備え、
前記対の電極部間の導電薄膜は、波及した基板の割れによって前記対の電極部間の抵抗値を増大するように破断し、
前記強化ガラス表面の導電薄膜は、基板と一体的に割れやすいように、フロート板ガラスの製造工程中においてガラスが加熱されている状態のときにＣＶＤにより基板にコーティングされて形成され、
前記対の電極部は、導電薄膜−電極間の抵抗値を安定させるべく、前記導電薄膜に融着結合した導電性ペーストにより形成されていることを特徴とする板ガラス。
【手続補正２】
【補正対象書類名】明細書
【補正対象項目名】００３０
【補正方法】変更
【補正の内容】
【００３０】
ガラスの割れ検出システムに係る本発明は、強化ガラス製の基板と、前記基板に形成された導電薄膜と、前記導電薄膜上に設けられた対の電極部と、を備えた板ガラスと、前記対の電極部間の抵抗値を検出する抵抗検出器と、を備えていることを特徴とするものである。
この場合、前記抵抗検出器により検出された抵抗値から得られたガラス割れに関する情報をシステム外部に送信する送信部を備えているのが好ましい。この送信部により、ガラス割れの情報がシステム外部に伝達されるから、防犯性を高めることが出来る。
または、前記板ガラスは複数備わり、複数の板ガラスにおける対の電極部同士が直列接続されて抵抗検出器に接続されているのが好ましい。この場合、複数の板ガラスの割れを少ない抵抗検出器で検出することができる。
また、他の板ガラスに係る本発明は、強化ガラス化され割れが全体に波及する基板と、前記基板の表面に形成され当該基板と一体的に割れる導電薄膜と、前記導電薄膜上に所定間隔をもって近接配置された対の電極部と、を備え、前記対の電極部間の導電薄膜は、波及した基板の割れによって前記対の電極部間の抵抗値を増大するように破断し、前記強化ガラス表面の導電薄膜は、基板と一体的に割れやすいように、フロート板ガラスの製造工程中においてガラスが加熱されている状態のときにＣＶＤにより基板にコーティングされて形成され、前記対の電極部は、導電薄膜−電極間の抵抗値を安定させるべく、前記導電薄膜に融着結合した導電性ペーストにより形成されていることを特徴とする。
この場合、対の電極部は、強化ガラス化され割れが全体に波及する基板上に所定間隔をもって近接配置されているから、衝撃が加わった位置だけでなく、近接した対の電極部間のガラスも割れる。よって、電極部間において、基板と一体的に割れる導電薄膜に破断が生じて、当該電極間の抵抗値が増大する。よって、電極部から離れた位置に衝撃が加わって割れた場合であっても、電極部間の抵抗値は確実に増加し、確実に割れを検出できる。更に、電極部が近接配置されていることから、電極部に接続される配線を簡素化することができる。